(57)【要約】【課題】  住戸躯体側の鉄筋の配筋状況にあわせて連結鉄筋を配筋することができ、かつ跳ね出し部の大きさおよび形状に対応させて施工できる跳ね出し部における外断熱工法を提供することである。【解決手段】  跳ね出し部における外断熱工法は、躯体の型枠１５における跳ね出し部が形成される箇所に、複数の切欠溝４、５または設置用孔を備えた断熱材６を設置した後、前記切欠溝または設置用孔に鉄筋取付用治具８を跳ね出し部側と躯体側とにわたって取り付けるとともに、該躯体側に配筋する鉄筋１６を鉄筋取付用治具８に取り付けて、前記型枠１４、１５内にコンクリート１７を打設することである。【選択図】図１
2005188036.tif 000002
【特許請求の範囲】
【請求項１】
躯体の型枠における跳ね出し部が形成される箇所に、複数の切欠溝または設置用孔を備えた断熱材を設置し、前記設置用孔または切欠溝に鉄筋取付用治具を跳ね出し部側と躯体側とにわたって取り付けるとともに、該躯体側に配筋する鉄筋を鉄筋取付用治具に取り付けた後、前記型枠内にコンクリートを打設することを特徴とする跳ね出し部における外断熱工法。
【請求項２】
跳ね出し部が形成される箇所の躯体の型枠に、プレキャストコンクリート板を設置し、該プレキャストコンクリートの板の接合端部に、複数の切欠溝または設置用孔を備えた断熱材を設置し、前記設置用孔または切欠溝に鉄筋取付用治具を跳ね出し部側と躯体側とにわたって取り付けるとともに、該躯体側に配筋する鉄筋を鉄筋取付用治具に取り付けた後、前記型枠内にコンクリートを打設することを特徴とする跳ね出し部における外断熱工法。
【請求項３】
鉄筋取付用治具の両端部に支圧板を設けたことを特徴とする請求項１または２に記載の跳ね出し部における外断熱工法。
【発明の詳細な説明】
【技術分野】
【０００１】
本発明は跳ね出し部における外断熱工法に関するものである。
【背景技術】
【０００２】
近年、冬季の室内における結露や壁内部の結露の防止、および建物の寿命を延ばすために外断熱工法が注目されている。これは建物の外壁に貼り付けた断熱材で建物全体を覆うものであるが、バルコニーなどの跳ね出し部において熱橋（ヒートブリッジ）を低減させるのは困難であった。この跳ね出し部において熱橋を低減させる方法として、図７に示すような、断熱材２３に連結鉄筋２４を設けた熱橋低減用鉄筋ユニット２５が用いられている。そして、この熱橋低減用鉄筋ユニット２５を、図８に示すように、バルコニーなどの跳ね出し部２６が形成される型枠２７内に設置し、該型枠２７内にコンクリート２８を打設することにより、跳ね出し部２６と住戸躯体２９との間に設けた断熱材２３で熱橋を低減させるというものである。また、その他の跳ね出し部における外断熱工法としては、例えば特開２００２−３５６９３２号公報の発明がある。
【特許文献１】特開２００２−３５６９３２号公報
【発明の開示】
【発明が解決しようとする課題】
【０００３】
しかし、上記の熱橋低減用鉄筋ユニットは、断熱材に多くの連結鉄筋が取り付けられているため、かさばる複雑な形状となって効率的な運搬および保管ができないという問題があった。また跳ね出し部は大きさおよび形状も様々であるため、これに対応するものを全て準備しておくのは殆ど不可能であり、しかも住戸躯体側に配筋された鉄筋が邪魔になって熱橋低減用鉄筋ユニットの連結鉄筋が配筋できないという問題もあった。
【０００４】
本発明は上記のような問題に鑑みてなされたものであり、その目的は、住戸躯体側の鉄筋の配筋状況にあわせて連結鉄筋を配筋することができ、かつ跳ね出し部の大きさおよび形状に対応させて施工できる跳ね出し部における外断熱工法を提供することである。
【課題を解決するための手段】
【０００５】
課題を解決するための手段である本発明の跳ね出し部における外断熱工法は、躯体の型枠における跳ね出し部が形成される箇所に、複数の切欠溝または設置用孔を備えた断熱材を設置し、前記設置用孔または切欠溝に鉄筋取付用治具を跳ね出し部側と躯体側とにわたって取り付けるとともに、該躯体側に配筋する鉄筋を鉄筋取付用治具に取り付けた後、前記型枠内にコンクリートを打設することを特徴とする。
また、跳ね出し部における外断熱工法は、跳ね出し部が形成される箇所の躯体の型枠に、プレキャストコンクリート板を設置し、該プレキャストコンクリート板の接合端部に、複数の切欠溝または設置用孔を備えた断熱材を設置し、前記設置用孔または切欠溝に鉄筋取付用治具を跳ね出し部側と躯体側とにわたって取り付けるとともに、該躯体側に配筋する鉄筋を鉄筋取付用治具に取り付けた後、前記型枠内にコンクリートを打設することを特徴とする。また鉄筋取付用治具の両端部に支圧板を設けたことを含むものである。
【発明の効果】
【０００６】
連結鉄筋を住戸躯体側の配筋状態にあわせて断熱材に配筋できるので、バルコニーやパラペットなど、どのような形状や大きさの跳ね出し部であっても簡単に外断熱工法をおこなえる。また断熱材における複数の切欠溝または設置用孔に設置された鉄筋取付用治具および連結鉄筋がコンクリートの打ち込みにより、簡単に動かないようになっている。また跳ね出し部における外断熱ができるので、連続的な断熱材で建物全体を覆うことができる。また跳ね出し部をプレキャストコンクリート板で形成する場合も、簡単に外断熱工法が行える。また十分な剪断耐力を有した鉄筋取付用治具は跳ね出し部の重量を負担するとともに、支圧板で跳ね出し部の重量による圧縮力をコンクリートに伝達する。
【発明を実施するための最良の形態】
【０００７】
以下、本発明の跳ね出し部における外断熱工法（以下、外断熱工法という）について説明する。この跳ね出し部はいわゆるマンションなどの集合住宅などにおけるバルコニー、外側廊下およびパラペットなどであり、これらが断熱材を介して住戸躯体に形成されるものである。
【０００８】
図１は、第１の実施の形態の外断熱工法を示し、集合住宅における住戸躯体１の梁２に形成されたバルコニー３により説明する。
【０００９】
はじめに、鉄筋などを配筋するための切欠溝４、５を備えた断熱材６と、この断熱材６に設置する鉄筋取付用治具８とを準備する。この断熱材６は無機発泡系断熱材であり、適宜厚さで、かつバルコニー３と同じ幅に形成され、連結鉄筋７を配筋する上部切欠溝４と、鉄筋取付用治具８を取り付ける下部切欠溝５とが形成されている。これらの切欠溝４、５は、図３に示すように、連結鉄筋７および鉄筋取付用治具８が抜け落ちないように、これらよりも幅狭に形成されているか、あるいは把持突起９が形成されている。
【００１０】
また、鉄筋取付用治具８はバルコニー３の重量を負担できる剪断耐力を備えたステンレス製の筒体１０であり、圧縮力をコンクリートに伝えるための支圧板１１が両端部に設けられ、一方の支圧板１１は雄ネジ１２で筒体１０内にねじ込まれ、支圧板１１から雄ネジ１２にかけて鉄筋接続用雌ネジ部１３が形成されている。
【００１１】
次に、下部切欠溝５に鉄筋取付用治具８を取り付けた断熱材６をバルコニー３と住戸躯体１の間におけるバルコニー用型枠１４に設置するとともに、上部切欠溝４にバルコニー用型枠１４と住戸躯体用型枠１５とにわたって配筋されるステンレス製の連結鉄筋７を設置する。上記鉄筋取付用治具８はバルコニー用型枠内に突出して取り付けられ、一方の支圧板１１が住戸躯体用型枠１５側に位置している。
【００１２】
次に、鉄筋取付用治具８を住戸躯体側の鉄筋１６の配筋位置に応じて上下に微調整した後、ステンレス製の連結鉄筋７を鉄筋接続用雌ネジ部１３にねじ込んで住戸躯体用型枠１５側に配筋する。このステンレス製の鉄筋取付用治具８と連結鉄筋７とによって、バルコニー側からの熱が住戸躯体側に伝わり難くなている。
【００１３】
次に、バルコニー用型枠１４と住戸躯体用型枠１５とにコンクリート１７を同時に打設し、これが硬化した後に脱型すると、断熱材６を介したバルコニー３が形成される。なお、鉄筋取付用治具８は上下部の切欠溝４、５にしっかりと組み込まれているため、このコンクリート１７の打設力によって動くことはない。また上下部の切欠溝４、５を設置用孔にすることもできる。
【００１４】
また図４は、鉄筋取付用治具８の一方の支圧板１１に鉄筋接続用ナット１９を設けたものであり、これ以外は第１の実施の形態の外断熱工法と同じ構成である。また図５は、一方の支圧板１１にのみ鉄筋接続用雌ネジ部１３を設けたものであり、これ以外は第１の実施の形態の外断熱工法と同じ構成である。
【００１５】
図６は、第２の実施の形態の外断熱工法を示し、バルコニー３をプレキャストコンクリート板２０で形成するものである。これは、はじめに、バルコニー用のプレキャストコンクリート板２０、いわゆる上面からトラス筋の一部が突出したハーフプレキャストコンクリート板（以下ハーフＰＣ板という）２０の基端部側を住戸躯体用型枠１５に設置するとともに、先端部側を支保工２１で支持して、バルコニー用型枠１４を形成する。このハーフＰＣ板２０の接合端部には、下部切欠溝５に鉄筋取付用治具８を取り付けた断熱材６が設置されている。
【００１６】
次に、断熱材６の上部切欠溝４に、バルコニー用型枠１４と住戸躯体用型枠１５とにわたるステンレス製の連結鉄筋７を配筋する。そして、上記と同様に、これらの型枠１４、１５に、同時にコンクリート１７を打設して、このコンクリート１７が硬化した後に脱型すると、断熱材６を介したバルコニー３が形成される。また、この実施の形態においても、図４および図５の鉄筋取付用治具８を使用することができる。
【００１７】
なお、上記の実施の形態において、コンクリート１３はバルコニー用型枠１４と住戸躯体用型枠１５とに同時に打設したが、同時ではなく、一方を先に打設し、その後に他方を打設するようにしてもよく、その順番は任意とする。また上記の実施の形態においては、跳ね出し部としてのバルコニー３について説明したが、バルコニー３に限らず、外側廊下やパラペットであっても同じ方法を適用することができる。
【図面の簡単な説明】
【００１８】
【図１】第１の実施の形態の外断熱工法を示す断面図である。
【図２】図１の要部拡大断面図である。
【図３】断熱材の正面図である。
【図４】他の鉄筋取付用治具によるバルコニーにおける外断熱工法を示す断面図である。
【図５】他の鉄筋取付用治具によるバルコニーにおける外断熱工法を示す断面図である。
【図６】第１の実施の形態の外断熱工法を示す断面図である。
【図７】従来の外断熱工法に使用する熱橋低減用鉄筋ユニットであり、（１）は正面図、（２）は平面図である。
【図８】従来の外断熱工法の断面図である。
【符号の説明】
【００１９】
１、２９  住戸躯体
２  梁
３、２６  バルコニー
４  上部切欠溝
５  下部切欠溝
６  断熱材
７、２４  連結鉄筋
８  鉄筋取付用治具
９  把持突起
１０  筒体
１１  支圧板
１２  雄ネジ
１３  鉄筋取付用雌ネジ部
１４  バルコニー用型枠
１５  住戸躯体用型枠
１６  鉄筋
１７、２８  コンクリート
１９  鉄筋接続用ナット
２０  ＰＣ板
２１  支保工
２５  熱橋低減用鉄筋ユニット
２７  型枠
【図１】
2005188036.tif 000003
【図２】
2005188036.tif 000004
【図３】
2005188036.tif 000005
【図４】
2005188036.tif 000006
【図５】
2005188036.tif 000007
【図６】
2005188036.tif 000008
【図７】
2005188036.tif 000009
【図８】
2005188036.tif 000010